(57)【要約】      （修正有）【課題】空気を大量に含んだ、空気封入型のＳＡ（ショックアブソーバ）を従来のシーツ、タオルケット、ふとん等の間に挟んで、高保温性、高吸湿性、軽量を達成できるふとんを提供する。【解決手段】高保温性、高吸湿性、柔軟性、可撓性のある多層ふとんによって本来のふとんの保温・吸湿機能を維持できるとともに、軽量、薄い、柔軟性、可撓性のために保管空間も小さくて済み、したがってふとんのための出費も少なくて済む。更に容易に洗濯可能であり、したがって衛生的であり、特に防虫、防黴材料、そのための加工も不要である。【選択図】図１
0003138021.tif 000002
【実用新案登録請求の範囲】
【請求項１】
空気を大量に包み込んだ、または空気封入型のショックアブソーバー（以下ではＳＡと略記する）として使用されている面状素材を吸湿性のある布、シーツ、ふとん、タオルケット、毛布等の間に挟み、これらの層の周囲を縫製した、多層ふとん。
【請求項２】
空気を大量に包み込んだ、または空気封入型の面状素材が例えば、市販のミナパック、プチプチシート、ミラーシート、エアフォームシート等である、請求項１に記載した、多層ふとん。
【請求項３】
これら多層ふとんが少なくとも３層である、請求項１に記載した多層ふとん。
【考案の詳細な説明】
【技術分野】
【０００１】  本考案は多層ふとんに関する。
【背景技術】
【０００２】  保温性のあるふとんは種々市販されており、羽毛ふとんがその代表的な製品であるが、概ね価格が高いことが問題である。それでも多層ふとんの出願も行われている。本件では考案者が安価に、簡単に製造できる保温性・吸湿性のある多層ふとんを考案した。
（下記実用新案文献参照）【０００３】
【特許文献１】特開平９−１６４０５１号公報
【特許文献２】実開平７−２４１６３号公報
【特許文献３】実開平７−２４１７１号公報
【考案の開示】
【考案が解決しようとする課題】
【０００４】  本件には「多層ふとん」、「多層布団」等をキーワードとして、先行技術を調査した。上記の文献１は使用目的、発明の構成が全く違っていた。文献２は本件とは少し似ているが、多層を構成する要素が全く異なっていた。上記文献３も考案を構成する要素が全く異なっていた。【０００５】  横臥中または椅子、ソファーに坐ったまま等の姿勢で睡眠した場合に、風邪を引かないためにも、季節に応じて我々は種々のふとんを使用している。このふとんにもそれぞれ特徴があり、素材、重量、吸湿性、保温性、価格、保管方法等が異なっている。ふとんの素材としては木綿、羽毛、羊毛、化繊等、重量としては軽量、中程度の重さ、重い等、吸湿性としては高い、低い等、価格としては低い、中程度、高い等、保管方法としては一般的にはふとんを押し入れに入れるが、最近ではふとん真空袋もあり、一般にふとんは分厚いので収納にスペースが必要である。防虫剤の必要性の有無、更に乾燥、洗濯などの可能性などの種々の問題も考慮して、一般の製造者はふとんを製造し、消費者はこれらを考慮してふとんを購入している。これらの考慮は現在の市場で当然行われている。
【課題を解決するための手段】
【０００６】  現在市販素材を使い、しかも高保温性、高吸湿性、低価格、柔軟性、可撓性、軽量、薄い、使用快適性、収納簡単、洗濯可能性の特徴を持った多層ふとんを提供することが本考案の目的であり、更に特に防虫加工・対策をする必要も無いことも本考案の目的である。【０００７】  本考案の素材：空気を多量に含んだ、または空気封入型の市販の面状のポリメチレン、ポリエチレン、ポリプロピレン等製のショックアブソーバー（以下ＳＡと略記）、すなわち緩衝シート（例えば、商品名  ミナパック、プチプチシート、ミラーシート、エアフォームシート等）を吸湿性の高い布地、例えば、木綿製のシーツ、ふとんカバーの中に入れる、２枚のタオルケット、毛布等で上下に挟み、これらの少なくとも３層の周囲を縫製する。これらプラスチック製のＳＡ数枚、タオルケット数枚で構成しても良く、これら多層ふとんの周囲を縫製する。ただし中のプラスチック製のＳＡが移動したり、ずれたりすることを防ぐために、これら多層ふとんを一部の場所で適宜縫い合わせることが好ましい。これらの挟まれる側のＳＡの大きさは挟む側の例えば、タオルケットと上記の縫い代を除いた部分だけ小さく、ほぼ同じ面積を有することが好ましい。これらＳＡが一枚で構成されてない場合には、これらを適当に張り合わせ、つなぎ合わせて、タオルケットとほぼ同じ面積であることが好ましい。【０００８】  タオルケット１枚では軽くて寝返りを打った時に普通の位置から外れるので、外れない程度の大きさのふとんにする必要があり、またその程度の重量にする必要もある。そのためには外層をなしているタオルケット、毛布を２枚等、したがって一例として、計４枚にするのも一法である。また既述のように普通のふとんカバーの中にこのＳＡをふとん、タオルケット等と共に入れて、ふとんの形にしても良く、この面状のプラスチック製のＳＡを挟んで縫製する。【０００９】  可撓性、柔軟性、可塑性を有し、軽量であって、かつ薄いことが好ましいから、ゴソゴソした硬い感じのＳＡは好ましくない。敷ふとん用にはふとんシーツまたはタオルケットでこのＳＡを挟んで、シーツにすればよく、その下に敷ふとんまたはマットレスを使用しても良い。【００１０】  こうしてタオルケット、毛布１枚以上の間にＳＡシートを１枚以上入れた多層ふとんが完成する。普通の掛けふとんの下にこの面状のＳＡ１枚以上の周囲を縫い付けて、その下にタオルケットを上述のように縫い付けても良い。このように、軽量、薄い、柔軟性のある等の理由でこの多層ふとんは簡単に洗濯可能であって、家庭用電気洗濯機で洗濯可能であって、簡単に乾燥させる事も可能であって、こういう特徴のために防虫、防黴剤も特に必要なく、必要あるとしても少量であり、簡単である。よく洗濯が出来て、良く乾燥すれば、それだけこの防虫、防黴も容易に達成される。
【考案の効果】
【００１１】１  低価格：プラスチック製のＳＡは大きな家財、家電製品を買えば、梱包用として使用されている事もあるから、普通の家庭にもあり、このような場合には家庭内で作製できる。このようなＳＡを日曜大工店が例えば、ミナパック、プチプチシート、ミラーシート、エアフォームシートの商品名で市販しているので、高価な羽毛ふとんを買う必要はない。【００１２】２  吸湿性：普通のＳＡは概ねポリメチレン、ポリエチレン、ポリプロピレン製であるから、極めて疎水性であるが、タオルケット、ふとん、シーツ、毛布等の間にこれらを挟むので、作成した多層ふとんの吸湿性は十分にあり、ベタベタ感はない。【００１３】３  軽量：これら素材を見れば明らかに軽量である。この多層ふとんは薄いので、押し入れの出し入れ、保管も楽である。高価な羽毛ふとんは嵩高であり、それだけ押し入れの収納場所、専用トランクも必要である。【００１４】４  洗濯：これら面状ＳＡは薄く、軽量、柔軟性、可撓性があるので、それを使ったこの多層ふとんも薄く、軽量、柔軟性、可撓性があるので、家庭用電気洗濯機でも容易に洗濯でき、簡単に干せ、乾燥させる事も可能であって、防虫、防黴の手間、そのための材料も不要であり、仮に必要であっても、極めて少量である。【００１５】５  その他：この種の軽量な多層ふとん１枚では寒い場合には、これを数枚使うか、在来の薄いふとん、通称「中がけ」をこのタオルケット、毛布の代わりに使用して、多層ふとんを構成しても良い。
【考案を実施するための最良の形態】
【００１６】  以下に、例えば、３層状ふとんの実施例の断面図を示す。
【実施例】
【００１７】  図１は上下に例えば、タオルケット、毛布等を使用し、その中間にＳＡを挟み、周囲を縫製した３層の多層ふとんの断面図である。これによって、吸湿性、保温性に優れ、柔軟性、可撓性を有し、軽量の多層ふとんが完成する。
【産業上の利用可能性】
【００１８】  考案にかかる多層ふとんは上述のような効果を発揮することが期待され、商品価値はきわめて高く、種々の省コスト化に貢献し、産業上の利用可能性は絶大である。
【図面の簡単な説明】
【００１９】
【図１】上下２層のタオルケット、毛布等の間にＳＡを挟み、周囲を縫製した多層ふとんの断面図
【図１】
0003138021.tif 000003
【手続補正書】
【提出日】平成19年9月11日(2007.9.11)
【手続補正１】
【補正対象書類名】実用新案登録請求の範囲
【補正対象項目名】請求項２
【補正方法】変更
【補正の内容】
【請求項２】
空気を大量に包み込んだ、または空気封入型の面状素材が例えば、市販のミナパック（登録商標）、プチプチシート、ミラーシート、エアフォームシート等である、請求項１に記載した、多層ふとん。
【手続補正２】
【補正対象書類名】明細書
【補正対象項目名】０００７
【補正方法】変更
【補正の内容】
【０００７】    本考案の素材：空気を多量に含んだ、または空気封入型の市販の面状のポリメチレン、ポリエチレン、ポリプロピレン等製のショックアブソーバー（以下ＳＡと略記）、すなわち緩衝シート（例えば、商品名  ミナパック（登録商標）、プチプチシート、ミラーシート、エアフォームシート等）を吸湿性の高い布地、例えば、木綿製のシーツ、ふとんカバーの中に入れる、２枚のタオルケット、毛布等で上下に挟み、これらの少なくとも３層の周囲を縫製する。これらプラスチック製のＳＡ数枚、タオルケット数枚で構成しても良く、これら多層ふとんの周囲を縫製する。ただし中のプラスチック製のＳＡが移動したり、ずれたりすることを防ぐために、これら多層ふとんを一部の場所で適宜縫い合わせることが好ましい。これらの挟まれる側のＳＡの大きさは挟む側の例えば、タオルケットと上記の縫い代を除いた部分だけ小さく、ほぼ同じ面積を有することが好ましい。これらＳＡが一枚で構成されてない場合には、これらを適当に張り合わせ、つなぎ合わせて、タオルケットとほぼ同じ面積であることが好ましい。
【手続補正３】
【補正対象書類名】明細書
【補正対象項目名】００１１
【補正方法】変更
【補正の内容】
【００１１】    １  低価格：プラスチック製のＳＡは大きな家財、家電製品を買えば、梱包用として使用されている事もあるから、普通の家庭にもあり、このような場合には家庭内で作製できる。このようなＳＡを日曜大工店が例えば、ミナパック（登録商標）、プチプチシート、ミラーシート、エアフォームシートの商品名で市販しているので、高価な羽毛ふとんを買う必要はない。
【手続補正４】
【補正対象書類名】図面
【補正対象項目名】図１
【補正方法】変更
【補正の内容】
【図１】
0003138021.tif 000004